(57)【要約】【課題】本発明は椅子の元の位置復帰機能を備えたガスシリンダーに関する。【解決手段】ベースチューブと、スピンドルと、シリンダーと、ピストンロッドと、上部カム部材と、下部カム部材とを、含んで成るガスシリンダーにおいて、上記シリンダーは、その上部側を密閉するために挿入されたバルブ本体内部に上下に貫通する通孔と、上記通孔と連通されるオリフィスを形成し、上記通孔には手動操作によって、上記上部チャンバー内部のガスが上記オリフィスとガス流路を通じて、下部チャンバーに移動可能にする開閉ピンを設置し、上記開閉ピンの下側には開閉部材を設置して、上記開閉部材は、上記スピンドルが受ける軸方向の負荷が解除される時に、上記オリフィスから流入するガスの圧力によって開放され、下部チャンバー内のガスが上部チャンバーに移動されるようにし、上記スピンドルを所定の最終位置に位置されるようにして、椅子の使用後、常に元の位置に復帰するようにガスシリンダーを開示する。【選択図】図３
2008529583.tif 000002
【特許請求の範囲】
【請求項１】
内部に収容空間を有して所定の長さで形成されるベースチューブと、
上記ベースチューブ内部で上下移動して、所望の高さ位置に調節可能なスピンドルと、
上記スピンドルの内部に所定の間隙が維持されるように同心に挟まれて、固定装着され、上部および下部が密閉され、内部にはガスが充電されるシリンダーと、
上記シリンダーの内部にその一端部が挟まれ、他端部は、ベースチューブ下側に固定されるピストンロッドと、
上記ピストンロッドの上部外周に非回転方式で固定結合され、上記シリンダーの内部空間を上部チャンバーと下部チャンバーに区切られるようにし、その下部面には傾斜面を有するように形成される上部カム部材と、
上記スピンドル下部に上記スピンドルと非回転方式で固定結合されながら、上記ピストンロッドの外周には軸方向に移動可能に挟まれ、上記上部カム部材の下部面と対応される上部面を備える下部カム部材を含んでなるガスシリンダーにおいて、
上記シリンダーは、その上部側を密閉するため挿入されたバルブ本体内部に上下に貫通する通孔と、上記通孔と連通されるオリフィスを形成し、上記通孔には手動操作によって、上記上部チャンバー内部のガスが、上記オリフィスとスピンドルとシリンダーとの間に形成されるガス流路を通じて、下部チャンバーに移動可能にする開閉ピンを設置し、
上記開閉ピンの下側には開閉部材を設置して、上記開閉部材は上記スピンドルが受ける軸方向の負荷が解除される時に、上記オリフィスから流入されるガスの圧力によって開放され、下部チャンバー内のガスが上部チャンバーに移動するようにして上記スピンドルを所定の最終位置に位置されるようにすることを特徴とする 椅子の元の位置復帰機能を備えたガスシリンダー。
【請求項２】
上記通孔には、上記開閉ピンが軸方向に移動可能に挟まれるインナーホルダーが固定挿入されて、
上記インナーホルダーは、その内部に所定の直径を有する小径部と、上記小径部と隣接して、順次直径が大きくなる傾斜部を少なくとも含んでなることを特徴とする請求項１に記載の椅子の元の位置復帰機能を備えたガスシリンダー。
【請求項３】
上記開閉部材は、上記スピンドルが受ける軸方向の負荷が解除される時に、上記傾斜部内部で下部に移動されることを特徴とする請求項2に記載の椅子の元の位置復帰機能を備えたガスシリンダー。
【請求項４】
上記開閉部材はO-リングやシール又はプラスチック材質の弾性リングの中、いずれか一つであることを特徴とする請求項1に記載の椅子の元の位置復帰機能を備えたガスシリンダー。
【発明の詳細な説明】
【技術分野】
【０００１】
本発明はガスシリンダーに関するものであって、より詳細には使用者が椅子シートから立ち上がる時、ガスシリンダーを自動に本来位置に回転させると共に本来高さに復帰させる機能を備えたガスシリンダーに関する。
【背景技術】
【０００２】
一般的に、椅子の高さ調節装置に用いられるガスシリンダーは、ベースチューブとスピンドルで構成され、上記スピンドルは、ベースチューブ内でチューブガイドによって、支持されながら、上下に移動して、椅子シートの高さが調節されるように構成される。
【０００３】
図1は、前述のような従来のガスシリンダー構造を概略的に示す断面図であって、図1を参照すれば、従来の一般的なガスシリンダー100は、椅子の座席下端面に連結されるスピンドル105の内部に、所定のガス流路170が形成されるようにシリンダー130を固定的に装着し、上記シリンダー130内部の空間は、上記シリンダー130と相対的に移動可能に装着されるピストン120によって、上部チャンバー135と下部チャンバー140に区分されるようにして、上記シリンダー130の上段部と下段部を各々ガスシーリング部145とバルブ本体150で密閉されるようにしながら、上記バルブ本体150に中心部を貫通する通孔175と上記通孔175に連通されるオリフィス165を形成し、上記通孔175内にオープンピン160によって開閉される開閉ピン155が設置されている。
【０００４】
前述のような構成でなる従来のガスシリンダー100は、使用者が椅子に着座してオープンピン160と連結された作動レバー(不図示)を作動させると、オープンピン160が加圧されてオープンピン160の下側に接触されている開閉ピン155を押し出すことになるので、開閉ピン155が下降するようになり、上記開閉ピン155が下降すると開閉ピン155はその下段部周りに位置するO-リングとの間に空いた隙間を形成して、上部チャンバー135はオリフィス165と流体連通状態になる。それにより、上部チャンバー135内に貯蔵された高圧のガスが上記空いた隙間を通じて、オリフィス165およびガス流路170に沿って下部チャンバー140に移動し、したがってガスが上部チャンバー135から下部チャンバー140に移動することによって、下部チャンバー140の体積は増加し、上部チャンバー135の体積は減少すると共にスピンドル105がチューブガイド115に沿って下降する。
【０００５】
この後、ユーザーの所望する高さで、上記作動レバー(不図示)に加えた力を除去すると、開閉ピン155が更に上方向に移動されて、上部チャンバー135は密閉状態を維持するので、上部チャンバー135と下部チャンバー140との間には、これ以上ガスの移動が進行されなくなるので椅子はユーザーの所望する高さで固定される。
【０００６】
前述のような従来のガスシリンダーは、使用者が一旦椅子の高さを設定しておくと、使用者が立ち上がっても椅子の座席は常に設定された高さで固定された状態を維持するようになり、椅子が向かう方向も各々他の所を向かうことになるので、多数個の椅子が置かれた場所では、椅子ごとに高さが違うように維持され、椅子ごとに他の方向に向かうようになって、外観上整理されていない感じを与えて、銀行窓口や会議室、飲食店またはバー(bar)のような場所で使用される椅子の場合には、使われない椅子を整理する人が直接高さを一定に合わせて、また椅子の方向を一定の方向へ向かうように変えておかなければならない煩わしさがある短所がある。
【０００７】
前述のような点を勘案して、本出願人は特許出願10-2004-0083405で図2に示したようなシリンダー14の内部に挿入されるピストンロッド10の上部側にピストン20をウォッシャー22とディスク23を介在して挟んで、上記ピストン20の外周面上部に所定深さと長さを有して形成される陥没部16を形成して、上記陥没部16が位置する地点のピストン20外周面にO-リング24を上下に移動可能に嵌め込んで、椅子に着座した使用者が椅子から立ち上がった時、椅子が自動に一定の高さに位置されるようにするガスシリンダーを先出願したことがある。
【０００８】
しかし、上の先出願はピストン20の外周面に嵌め込まれるO-リング24が下部チャンバー内のガス圧力によって、上部に移動する時、均一に上昇できずに、偏心されて上部に移動することによって、時々ピストン20の外周面にO-リング24が瞬間的に固着される場合が発生し、また上記O-リング24はピストン20の外周面と摩擦を起こしながら、上昇と下降を繰り返すことになるので、ある程度の使用後にはO-リング24が磨耗される現象が発生して、開閉部材として要求される機能を果たせなくなる問題点があり、その構造においても、ピストン20の外周に陥没部16を形成して、上記陥没部16にO-リング24を装着させた以後に、更に上記ピストン20を弾性リング26とウォッシャー27を介在して固定させなければならないので、その構造が複雑になって、作業工程の管理や生産性が低下する問題点がある。
【発明の開示】
【発明が解決しようとする課題】
【０００９】
本発明は前記したような諸般問題点を解決するため案出されたもので、椅子を使った人または整理整頓する人が直接椅子の高さと方向を本来の位置に戻さなければならない苦労を減らすため、椅子を使った後、椅子の高さと方向が自動に本来位置に復帰されるようにする機能を備えたガスシリンダーを提供することを目的とする。
【００１０】
本発明の他の目的は、使用者が椅子に座って立ち上がる時に、下部チャンバー内のガスが上部チャンバー内に円滑に移動されるようにして、椅子の高さが所望する最終高さに確実に位置されるようにしながら、その構造を単純化することで、作業工程の管理を容易にし、生産性を向上させることができる椅子の元の位置復帰機能を備えたガスシリンダーを提供するにある。
【課題を解決するための手段】
【００１１】
上記の目的を達成するため、本発明による椅子の元の位置復帰機能を備えたガスシリンダーは、内部に収容空間を有して、所定の長さで形成されるベースチューブと、上記ベースチューブ内部で上下移動して、所望の高さ位置に調節可能なスピンドルと、上記スピンドルの内部に所定の間隙が維持されるように同心に挟まれて、固定装着され、上部および下部が密閉されて内部にはガスが充電されるシリンダーと、上記シリンダーの内部にその一端部が挟まれて、他端部はベースチューブ下側に固定されるピストンロッドと、上記ピストンロッドの上部外周に非回転方式で固定結合されて、上記シリンダーの内部空間を上部チャンバーと下部チャンバーに区切られるようにして、その下部面には傾斜面を有するように形成される上部カム部材と、上記スピンドル下部に上記スピンドルと非回転方式で固定結合されながら、上記ピストンロッドの外周には軸方向に移動可能に挟まれ、上記上部カム部材の下部面と対応される上部面を具備する下部カム部材を含んでなるガスシリンダーにおいて、上記シリンダーは、その上部側を密閉するため挿入されたバルブ本体内部に上下に貫通される通孔と、上記通孔と連通されるオリフィスを形成し、上記通孔には手動操作によって、上記上部チャンバー内部のガスが上記オリフィスとスピンドルとシリンダーとの間に形成されるガス流路を通じて、下部チャンバーに移動可能にする開閉ピンを設置し、上記開閉ピンの下側には開閉部材を設置して、上記開閉部材は、上記スピンドルが受ける軸方向の負荷が解除される時、上記オリフィスから流入されるガスの圧力によって開放され、下部チャンバー内のガスが上部チャンバーに移動されるようにして上記スピンドルを所定の最終位置に位置されるようにすることを特徴とする。
【００１２】
また、本発明による椅子の元の位置復帰機能を備えたガスシリンダーの通孔には、上記開閉ピンが軸方向に移動可能に挟まれるインナーホルダーが固定挿入され、上記インナーホルダーは、その内部に所定の直径を有する小径部と、上記小径部と隣接して、順次直径が大きくなる傾斜部を少なくとも含んでなることが望ましい。
【００１３】
また、上記開閉部材は、上記スピンドルが受ける軸方向の負荷が解除される時に、上記傾斜部内部から下部へ移動することが望ましく、その例としてはO-リングやシールまたはプラスチック材質の弾性リングの中、いずれの一つが利用されることができる。
【発明の効果】
【００１４】
本発明による元位置復帰機能が備えられたガスシリンダーによって、椅子は使用者が椅子を使った後、立ち上がると自動的に椅子が元位置に戻るので、使用者または第3者が椅子の位置を本来位置に戻す必要がない効果がある。
【００１５】
したがって、椅子使用後、整理整頓する人が別途に必要なくなって費用が節減され、使わない椅子は常に一定の高さと一定の方向に向かっているので、美観上すっきりしていて整理整頓された感じを与える効果がある。
【００１６】
また、本発明の椅子の元の位置復帰機能を備えたガスシリンダーによれば、使用者が椅子に座って立ち上がる時に、下部チャンバー内のガスが上部チャンバー内に円滑に移動されるようにして椅子の高さが所望する最終高さに確実に位置されるようにし、更にその構造を単純化することで、作業工程の管理を容易にして生産性を向上させることができる。
【発明を実施するための最良の形態】
【００１７】
以下、本発明の望ましい実施例を添付図面に基づいて、詳細に説明すれば次のようになる。
【００１８】
図3は、本発明による元位置復帰機能を備えたガスシリンダーの断面図である。図3を参照すれば、本発明によるガスシリンダー200は、本体外形を成し、内部に収容空間を有し、所定の長さで形成されるベースチューブ210と、上記ベースチューブ210内部に位置するチューブガイド215によって、上下移動可能に支持されて、所望の高さ位置に調節されるスピンドル205と、上記スピンドル205の内部に所定の間隙、すなわちガス流路270が形成されるように同心に挟まれて固定装着され、上部および下部が密閉され、内部にはガスが充電されるシリンダー230と、上記シリンダー230の内部にその一端部が挟まれ、他端部は、ベースチューブ210下側226に固定されるピストンロッド225を含む。これらの構成要素の構成とオープンピン260、テーパーホルダー261、オリフィス265等の構成は、図1に示された従来技術と実質的に同一であるので、これ以上具体的な説明は省略する。
【００１９】
更に図3を参照すれば、本発明のガスシリンダー200は、シリンダー230の上段部を密閉するバルブ本体250を備える。上記バルブ本体250は、上部外側でスピンドル205と上下一対のO-リングで面接触しており、下部外側は、シリンダー230と一つのO-リングで面接触している。また、上記バルブ本体250の内部には、上下に貫通する通孔273と、上記通孔273と連通されるオリフィス265が水平方向に形成され、上記通孔273には後述するインナーホルダー275が支持部材、例えば、ウォッシャー272によって、固定装着される。上記ウォッシャー272の上面に溝279を形成すると、オリフィス265を通じて、ガスが上部チャンバー235に流入される場合に、ガスの流れをより容易にすることができる。
【００２０】
上記インナーホルダー275は、その内部に手動操作によって、後述する上部チャンバー235内部のガスが上記オリフィス265とガス流路270を通じて、下部チャンバー240に移動可能にする開閉ピン255が設置される。上記開閉ピン255の上部には、作動レバー(不図示)に連結されるオープンピン260がテーパーホルダー261内に収容されて開閉ピン255の上部と接触状態にあり、上記作動レバー(不図示)を作動させるとオープンピン260が加圧されてオープンピン260の下側に接触されている開閉ピン255を下部に押し出すことになるので、開閉ピン255が下降され、上部チャンバー235とオリフィス265が通孔273によって、流体連通状態になる。
【００２１】
上記インナーホルダー275は、その上側と中央外側にO-リングが装着されて、バルブ本体250との気密が維持され、その内部には所定の直径を有する小径部と、上記小径部と隣接して、順次直径が大きくなる傾斜部を少なくとも含んでなり、上記傾斜部には、開閉ピン255の下部外周に後述する開閉部材271が上下に移動可能に装着される。上記傾斜部は、テーパー形状や円錐形状などを総称する用語として本発明では用いられる。
【００２２】
上記開閉部材271は、インナーホルダー275の内側と開閉ピン255の下部の側面と面接触状態をなし、下部チャンバー240内の圧力が瞬間的に高まる時には、上記下部チャンバー240内の圧力が下部カム部材286内のガス流路211とガス流路270およびオリフィス265を通じて、傾斜部内で下部側に作用するので、下部側に移動され、上記オリフィス265と上部チャンバー235が流体連通状態になる。上記開閉部材271は、ゴムやプラスチックまたは金属材質でなり、図2に示したようにO-リングが用られることができ、その以外に円筒や台形の形状をなすシールまたは弾性リングなどのように、多様なものなどが利用されることができる。
【００２３】
更に図3を参照すれば、本発明のガスシリンダーは、ピストンロッド225の上部外周にシリンダー230の内部空間を上部チャンバー235と下部チャンバー240に区切られるようにする上部カム部材285がウォッシャー部材276を介在して、非回転方式で固定結合され、上記上部カム部材285の下部面は、所定の傾きを有し、傾斜面を有するように形成される。上記上部チャンバー235と下部チャンバー240は、上部カム部材285の内周面と外周面に挟まれるO-リングによって、ガスが互いに連通されることが防止され、本発明の上部カム部材285は、ピストンとしての役割も担当する。
【００２４】
また、本発明の椅子の元の位置復帰機能を備えたガスシリンダーは、スピンドル205の下部側に上下に中空部が形成された下部カム部材286が上記スピンドル205と非回転方式、その一例をあげると、エンボシング221と同じ方式で固定挿入され、上記中空部には、上記ピストンロッド225がガスの気密を維持した状態で、軸方向に移動可能に挟まれる。上記下部カム部材286の一側には、スピンドル205とシリンダー230との間の間隙、すなわちガス流路270と下部チャンバー240が互いに連通可能にするガス流路211が形成され、その上部面は、上記上部カム部材285の下部面と対応される所定の傾きを有する傾斜面が備えられている。
【００２５】
本発明によるガスシリンダーのピストンロッド225は、図4に示されるように、その上部にナーリング部226を有し、上部カム部材285とナーリング方式で結合する。ナーリング226の上部には、ジョイント227を備え、このジョイント227は、上部カム部材285の上部とウォッシャー276を媒介としてジョイント方式で結合される。
【００２６】
前述ような構成を有する本発明によるガスシリンダー200の作動に対して図3乃至図6を参照して説明する。
【００２７】
先ず、使用者が椅子の高さを低めるため、椅子に座った状態でガスオープンピン260と連結された作動レバー(不図示)を作動させると、オープンピン260が押さえられる。オープンピン260が下側に加圧されると、開閉ピン255が図5に示したように下降する。開閉ピン255が下降すると、開閉ピン255とO-リング271との間には若干の隙間が形成される。このような隙間によって、上部チャンバー235は、オリフィス265と流体連通状態になる。それによって、上部チャンバー235内に貯蔵された高圧のガスが図5の矢印で示されるように、開閉ピン255とO-リング271との間に形成される隙間を通じて、オリフィス265とガス流路270と下部カム部材286のガス流路211に沿って下部チャンバー240へ移動する。
【００２８】
上部チャンバー235内のガスが下部チャンバー240に移動すると、上部チャンバー235の体積は減少し、下部チャンバー240の体積は増加するので、シリンダー230が下へ下降することになり、下部カム部材286は、上部カム部材285と互いに離隔される。
【００２９】
この後、ユーザーの望む高さで、上記作動レバー(不図示)に加えた力を除去すると、開閉ピン255およびオープンピン260が図3に示したように、上方向に移動され、その結果、開閉ピン255とO-リング271は密着結合されて上部チャンバー235を密閉させるので、上部チャンバー235と下部チャンバー240との間には、これ以上ガスの移動が進行されなくなる。したがって、椅子はユーザーの望む高さで固定される。
【００３０】
以後、使用者が椅子を使った後、椅子から立ち上がると、すなわちスピンドル205が受ける軸方向の負荷が解除されると、使用者の体重による圧力が除去されるので、スピンドル205が若干上昇することになり、それによって、下部チャンバー240の体積が若干減少しながら、ガス圧力は瞬間的に増加することになるので、増加されたガス圧力は下部カム部材286のガス流路211とガス流路270とオリフィス265を通じてO-リング271を図6に示したように、下部方向に若干押し出して開閉ピン255とO-リング271との間に隙間を形成する。したがって、ガスは、図6の矢印に示したように、上記隙間を通じて、上部チャンバー235に移動することになる。
【００３１】
このようにして、ガスが下部チャンバー240から上部チャンバー235に移動すると、上部チャンバー235の体積は増加し、下部チャンバー240の体積は減少するので、スピンドル205が上方向に移動する。スピンドル205が上方向にずっと移動することによって、スピンドル205下部に固定結合された下部カム部材286も上方向に移動することになる。上記スピンドル205は、上記下部チャンバー235の体積が0になる時まで上昇することになり、スピンドル205は最大上昇位置まで上昇することになる。
【００３２】
万一、使用者が着座した後、椅子の方向を固定状態で使用した後、椅子から立ち上がる場合には、下部カム部材286は、その上部面が上部カム部材285の下部面とそのまま一致するので、別途の回転動作が発生しない。しかし、使用者が着座した後、椅子の方向を所定方向に動かした状態で椅子から立ち上がる場合には、下部カム部材286が上昇して、上部面が上部カム部材285の下部面と接する瞬間、下部カム部材286の上部面が上部カム部材285の下部面と一致する時まで、下部チャンバー240から上部チャンバー235へのガス移動によって発生する圧力によって、回転動作が発生する。
【００３３】
したがって、本発明のガスシリンダーを使う場合、使用者が椅子を使った後、椅子から立ち上がると、椅子は常に高さおよび方向において本来状態に戻ることになる。
【００３４】
本発明は、上記から説明した実施例を基準として説明されているが、これは例示的なものといえ、当該技術分野で通常の知識を有する者であれば、これから多様な変形および均等な実施例らを考え出すことができるので、このような均等な実施例または本発明の特許請求範囲内に含まれると見なすべきである。
【産業上利用の可能性】
【００３５】
本発明の椅子の元の位置復帰機能を備えたガスシリンダーは、使用者が椅子に座って立ち上がる時に、下部チャンバー内のガスが上部チャンバー内に円滑に移動されるようにして、椅子の高さが所望する最終高さに確実に位置されるようにしながら、その構造を単純化することで、作業工程の管理を容易にし、生産性を向上させることができる有用な発明である。
【図面の簡単な説明】
【００３６】
【図１】従来のガスシリンダー構造を概略的に示す断面図である。
【図２】従来の他のガスシリンダー構造を概略的に示す断面図である。
【図３】本発明の元位置復帰機能を備えたガスシリンダーの断面図である。
【図４】図3に図示された本発明の上部カム部材に対する詳細な図面である。
【図５】オープンピンが加圧される場合の、バルブ本体でのガス移動を詳細に示した図面である。
【図６】使用者が椅子から立ち上がる場合の、バルブ本体でのガス移動を詳細に示した図面である。
【図１】
2008529583.tif 000003
【図２】
2008529583.tif 000004
【図３】
2008529583.tif 000005
【図４】
2008529583.tif 000006
【図５】
2008529583.tif 000007
【図６】
2008529583.tif 000008
【国際調査報告】
2008529583.tif 000009
2008529583.tif 000010